(57)【要約】【課題】パラボラアンテナの向きを微妙に変化させて最適な向きにすることができるとともに、その最適な向きを保った状態でパラボラアンテナを設置場所に固定されている主柱上に確実に固定することができるパラボラアンテナ支持装置を提供することを課題とする。【解決手段】パラボラアンテナ２の設置場所に固定されている支柱１上にベース板３が固定されている。回転ベース板４はベース板３に回動自在に支持されており、この回転ベース板４の回転移動は回転ベース板移動装置１０のハンドル１２を回すことによって行なうことができる。回転ベース板４上には垂直支持板６が固定されており、パラボラアンテナ２が取付けられたアンテナ支持板７は、垂直支持板６に回動自在に支持されている。アンテナ支持板７の回転移動はアンテナ支持板移動装置２０によって行なうことができる。【選択図】  図２
0003109916.tif 000002
【実用新案登録請求の範囲】
【請求項１】
パラボラアンテナの設置場所に固定される支柱上に該支柱の軸方向と直角をなす方向に
延在するように配設されたベース板と、該ベース板上に当該ベース板と平行な状態で配設
され前記ベース板に回動自在な状態で支持される回転ベース板と、該回転ベース板を所定
の回転位置で前記ベース板に固定する固定手段と、前記回転ベース板上に当該ベース板と
直交する平面をなすように固定される垂直支持板と、該垂直支持板に平行な状態で当該垂
直支持板に回動自在な状態で支持され一端にパラボラアンテナ取付部を有するアンテナ支
持板と、該アンテナ支持板を所定の回転位置で前記垂直支持板に固定する固定手段とを有
するパラボラアンテナ支持装置において、
前記回転ベース板には、当該回転ベース板を前記ベース板上で回動させ所定の位置で当
該回転ベース板を係止する回転ベース板移動手段が配設され、
前記回転ベース板に固定された前記垂直支持板に回動自在に支持された前記アンテナ支
持板には、当該アンテナ支持板を前記垂直支持板に対して回動させ所定の位置で当該アン
テナ支持板を係止するアンテナ支持板移動手段が配設されていることを特徴とするパラボ
ラアンテナ支持装置。
【請求項２】
前記回転ベース板移動手段は、雄ネジ部が形成されている回転シャフトと、該回転シャ
フトの一端に配設されたハンドルと、前記ベース板上に当該ベース板に平行な平面内で回
動自在となるように配設され且つ前記回転シャフトの他端に当該他端が前記回転シャフト
の軸を中心として回動自在となるように装着された回転シャフト先端支持部材と、前記回
転ベース板下に当該回転ベース板に平行な平面内で回動自在となるように配設され且つ前
記回転シャフトの雄ネジ部と螺合する雌ネジ部が形成された回転シャフト移動支持部材と
によって構成されていることを特徴とする請求項１に記載のパラボラアンテナ支持装置。
【請求項３】
前記アンテナ支持板移動手段は、雄ネジ部が形成されている回転シャフトと、該回転シ
ャフトの一端に配設されたハンドルと、前記アンテナ支持板と平行な平面内で回動自在と
なるように前記回転ベース板上に配設され且つ前記回転シャフトの他端に当該他端が前記
回転シャフトの軸を中心として回動自在となるように装着された回転シャフト先端支持部
材と、前記アンテナ支持板の前記パラボラアンテナ取付部が配設されている端部と対向す
る端部側に当該アンテナ支持板に平行な平面内で回動自在となるように配設され且つ前記
回転シャフトの雄ネジ部と螺合する雌ネジ部が形成された回転シャフト移動支持部材とに
よって構成されていることを特徴とする請求項１に記載のパラボラアンテナ支持装置。
【請求項４】
前記アンテナ支持板は、前記パラボラアンテナが固定される直方体のアンテナ固定ユニ
ットの側面を構成する構成部材であり、当該アンテナ固定ユニットは、前記回転ベース板
上に互いに平行状態となるように配設された２枚の前記垂直支持板に挟まれた状態で配設
されていることを特徴とする請求項１ないし請求項３のいずれかの項に記載のパラボラア
ンテナ支持装置。
【考案の詳細な説明】
【技術分野】
【０００１】
本考案は、電波を受信するパラボラアンテナを、所定の方向に向けた状態で設置場所上
に支持固定するパラボラアンテナ支持装置に関するものである。
【背景技術】
【０００２】
電波を受信するパラボラアンテナは通信の分野で従来から広く用いられている。このよ
うなパラボラアンテナは指向性が高いために、その設置に際してはアンテナの向きに対す
る注意が必要とされている。殊に、帯域幅が４０．７７ＧＨｚ〜４１．４７ＧＨｚである
マイクロ波無線等の高周波無線を受信するためのパラボラアンテナは、アンテナの向きが
所定方向から僅かでもずれてしまうと受信する信号のレベルが極端に低下してしまうため
に、その設置に際しては細心の注意が必要とされていた。図４は、このようなパラボラア
ンテナを所定の方向に向けた状態で設置場所上に支持固定する従来のパラボラアンテナ支
持装置の構成を示したものである。
【０００３】
図４において、１は、パラボラアンテナ２の設置場所に固定される支柱であり、この支
柱１上には、支柱１の軸方向と直角をなす方向に延在するベース板３が固定されている。
【０００４】
４は、ベース板３と平行に配設されている回転ベース板である。この回転ベース板３の
中心部には下方に延在する軸部材４ａが配設されており、軸部材４ａの下端部は、ベース
板３に配設されている軸受ユニット３ａによって回動自在に支持されている。
【０００５】
５ａは、回転ベース板４をベース板３に固定するためのボルトであり、５ｂはナットで
ある。回転ベース板４には、この回転ベース板４が所定の範囲で回転できるような形状を
有するボルト５ａ用の挿通口が形成されている。
【０００６】
回転ベース板４上には、この回転ベース板４と直交する平面をなし且つ互いに平行な１
対の垂直支持板６が固定されている。
【０００７】
７は、一端にパラボラアンテナ２を取付けるパラボラアンテナ取付部８ａを有するアン
テナ支持板である。アンテナ支持板７は、パラボラアンテナ２が固定される直方体のアン
テナ固定ユニット８の側面を構成する構成部材である。このアンテナ固定ユニット８は、
アンテナ支持板７が垂直支持板６と平行となるように１対の垂直支持板６によって挟まれ
た状態となっている。アンテナ支持板７には軸部材７ａが配設されており、軸部材７ａの
端部は垂直支持板６に配設されている軸受ユニット６ａによって回動自在に支持されてい
る。
【０００８】
９ａは、アンテナ支持板７を垂直支持板６に固定するためのボルトであり、９ｂはナッ
トである。垂直支持板６には、アンテナ支持板７が所定の範囲で回転できるような形状を
有するボルト９ａ用の挿通口６ｂが形成されている。
【０００９】
以上のように構成された従来のパラボラアンテナ支持装置においては、ベース板３に回
転ベース板４を固定するボルト５ａとナット５ｂとを緩めた状態にし、垂直支持板６にア
ンテナ支持板８を固定するボルト９ａとナット９ｂとを緩めた状態にしておいて、回転ベ
ース板４とアンテナ支持板８とを動かしてパラボラアンテナ２を電波を受信する最適な方
向に向けた後、ボルト５ａ及びナット５ｂとボルト９ａ及びナット９ｂとを共に締めて設
置場所に固定された支柱１上にパラボラアンテナ２を固定する。
【考案の開示】
【考案が解決しようとする課題】
【００１０】
しかしながら、従来のパラボラアンテナ支持装置においては、パラボラアンテナ２を支
柱１上に固定する場合、作業者が手でパラボラアンテナ２を最適な方向に向け、その状態
を保ったままでボルト５ａ及びナット５ｂとボルト９ａ及びナット９ｂとを順次締めてパ
ラボラアンテナ２を固定していたので、パラボラアンテナ２の向きを微妙に調整すること
が困難である上に、ボルト５ａ及びナット５ｂやボルト９ａ及びナット９ｂを締める際に
パラボラアンテナ２の向きが最適方向から微妙にずれてしまうことがあるという問題点が
あった。
【課題を解決するための手段】
【００１１】
以上の問題点を解決するために本考案は、パラボラアンテナの設置場所に固定される支
柱上に該支柱の軸方向と直角をなす方向に延在するように配設されたベース板と、該ベー
ス板上に当該ベース板と平行な状態で配設され前記ベース板に回動自在な状態で支持され
る回転ベース板と、該回転ベース板を所定の回転位置で前記ベース板に固定する固定手段
と、前記回転ベース板上に当該ベース板と直交する平面をなすように固定される垂直支持
板と、該垂直支持板に平行な状態で当該垂直支持板に回動自在な状態で支持され一端にパ
ラボラアンテナ取付部を有するアンテナ支持板と、該アンテナ支持板を所定の回転位置で
前記垂直支持板に固定する固定手段とを有するパラボラアンテナ支持装置において、
【００１２】
前記回転ベース板には、当該回転ベース板を前記ベース板上で回動させ所定の位置で当
該回転ベース板を係止する回転ベース板移動手段が配設され、前記回転ベース板に固定さ
れた前記垂直支持板に回動自在に支持された前記アンテナ支持板には、当該アンテナ支持
板を前記垂直支持板に対して回動させ所定の位置で当該アンテナ支持板を係止するアンテ
ナ支持板移動手段が配設されていることを特徴とするものである。
【００１３】
ここで、前記回転ベース板移動手段は、雄ネジ部が形成されている回転シャフトと、該
回転シャフトの一端に配設されたハンドルと、前記ベース板上に当該ベース板に平行な平
面内で回動自在となるように配設され且つ前記回転シャフトの他端に当該他端が前記回転
シャフトの軸を中心として回動自在となるように装着された回転シャフト先端支持部材と
、前記回転ベース板下に当該回転ベース板に平行な平面内で回動自在となるように配設さ
れ且つ前記回転シャフトの雄ネジ部と螺合する雌ネジ部が形成された回転シャフト移動支
持部材とによって構成してもよい。また、前記アンテナ支持板移動手段は、雄ネジ部が形
成されている回転シャフトと、該回転シャフトの一端に配設されたハンドルと、前記アン
テナ支持板と平行な平面内で回動自在となるように前記回転ベース板上に配設され且つ前
記回転シャフトの他端に当該他端が前記回転シャフトの軸を中心として回動自在となるよ
うに装着された回転シャフト先端支持部材と、前記アンテナ支持板の前記パラボラアンテ
ナ取付部が配設されている端部と対向する端部側に当該アンテナ支持板に平行な平面内で
回動自在となるように配設され且つ前記回転シャフトの雄ネジ部と螺合する雌ネジ部が形
成された回転シャフト移動支持部材とによって構成してもよい。さらに、前記アンテナ支
持板は、前記パラボラアンテナが固定される直方体のアンテナ固定ユニットの側面を構成
する構成部材であり、当該アンテナ固定ユニットは、前記回転ベース板上に互いに平行状
態となるように配設された２枚の前記垂直支持板に挟まれた状態で配設してもよい。
【考案の効果】
【００１４】
本考案によれば、パラボラアンテナの向きを微妙に変化させて最適な向きにすることが
できるとともに、その最適な向きを保った状態でパラボラアンテナを設置場所に固定され
ている主柱上に確実に固定することができる。
【考案を実施するための最良の形態】
【００１５】
以下、図面を用いて本考案の実施例について説明する。
【実施例１】
【００１６】
図１は本考案の実施例１の構成を示した構成図であり、図２は図１に示した実施例の裏
面側から視た上部の拡大図である。
【００１７】
図１および図２において、図４に示した従来例と同一符号のものは同一のものを示して
いるのでその説明は省略する。
【００１８】
また、図１に示した１ａは、パラボラアンテナ２の設置場所に固定される主柱１の補強
部材であり、１０は回転ベース板４を回転移動させる回転ベース板移動装置であり、２０
はアンテナ支持板７を回転移動させるアンテナ支持板移動装置である。
【００１９】
回転ベース板移動装置１０は、図２に示したように、雄ネジ部が形成されている回転シ
ャフト１１と、回転シャフト１１を回すためのハンドル１２と、回転シャフト１１の先端
部を支持する回転シャフト先端支持部材１３と、回転シャフト１１の中間部分に螺合して
これを支持する回転シャフト移動支持部材１４とによって構成されている。
【００２０】
回転シャフト先端支持部材１３は、回転シャフト１１がその軸を中心として回動自在と
なるように回転シャフト１１の先端部に装着されているカラー部と、回転シャフト１１が
ここを支点としてベース板３と平行な平面内で回転移動ができるようにカラー部を回動自
在に支持し且つベース板３上に固定されるブランケット部によって構成されている。ここ
で前述したカラー部は、回転シャフト１１の軸方向への移動が規制されるような状態で回
転シャフト１１の先端部に装着されている。
【００２１】
回転シャフト移動支持部材１４は、回転シャフト１１の雄ネジ部と螺合する雌ネジ部が
形成されているナット部１４ａと、このナット部１４ａの上部を回動自在に支持し且つ回
転ベース板４の下面に固定されるブランケット部１４ｂによって構成されている。
【００２２】
回転シャフト先端支持部材１３と回転シャフト移動支持部材１４とによって、回転シャ
フト１１は、ベース板３と平行な平面内で回転シャフト先端支持部材１３を支点として回
動自在な状態で支持されている。
【００２３】
以上のように構成された回転ベース板移動装置１０においては、図３に示したように、
ハンドル１２を用いて回転シャフト１１を回転させると、この回転シャフト１１に螺合し
ているナット部１４ａが回転シャフト１１の軸方向に沿って移動し、この移動に伴って回
転シャフト１１が回転シャフト先端支持部材１３を中心として回転するとともに、回転ベ
ース板４がベース板３上で回転移動する。ここで、ハンドル１２の回転を停止すると、回
転シャフト１１を介してベース板３に接続されている回転ベース板４は、ベース板３に係
止された状態となりその位置を保持する。なお、図３において、１３ａは回転シャフト先
端支持部材１３のカラー部を示し、１３ｂはブランケット部を示している。
【００２４】
また、パラボラアンテナ２が固定されているアンテナ固定ユニット８の側面を構成して
いるアンテナ支持板７を、垂直支持板６に対して回転移動させるアンテナ支持板移動装置
２０は、図２に示したように、雄ネジ部が形成された回転シャフト２１，ハンドル２２，
回転シャフト先端支持部材２３，回転シャフト移動支持部材２４によって構成されている
。
【００２５】
回転シャフト先端支持部材２３は、先に説明した回転シャフト先端支持部材１３と同様
に、カラー部２３ａとブランケット部２３ｂとによって構成されており、ブランケット部
２３ｂは、垂直支持板６が固定されている回転ベース板４上に固定されている。また、回
転シャフト移動支持部材２４は、先に説明した回転シャフト移動支持部材１４と同様に、
ナット部２４ａとブランケット部２４ｂとによって構成されており、ブランケット部２４
ｂはアンテナ支持板７を有するアンテナ固定ユニット８に固定されている。回転シャフト
先端支持部材２３と回転シャフト移動支持部材２４とによって、回転シャフト２１は、垂
直支持板６と平行な平面内で回転シャフト先端支持部材２３を支点として回動自在な状態
で支持されている。
【００２６】
このように構成されたアンテナ支持板移動装置２０においては、ハンドル２２を回転さ
せると、軸部材７ａを中心としてアンテナ支持板７が回転移動し、ハンドル２２の回転を
停止すると、アンテナ支持板７が回転ベース板４に係止された状態となってその位置が保
持される。
【００２７】
以上のように構成された本実施例１においては、回転ベース板移動装置１０とアンテナ
支持板移動装置２０とを用いて、パラボラアンテナ２を電波の受信に最適な方向に微妙な
調整を行なって向けることができる。さらに、電波の受信に最適な方向に向けられたパラ
ボラアンテナ２は、回転ベース板移動装置１０およびアンテナ支持板移動装置２０によっ
てベース板３に係止された状態となっているので、ボルト５ａ及びナット５ｂを用いて回
転ベース板４をベース板３に固定する作業やボルト９ａ及びナット９ｂを用いてアンテナ
支持板７を垂直支持板６に固定する作業を行なう際にパラボラアンテナ２の向きが最適方
向からずれることはない。
【図面の簡単な説明】
【００２８】
【図１】本考案の実施例１の構成を示した構成図である。
【図２】図１に示した実施例１の要部の拡大図である。
【図３】図１に示した実施例１の要部の説明図である。
【図４】従来のパラボラアンテナ支持装置の構成図である。
【符号の説明】
【００２９】
１  主柱
１ａ  補強部材
２  パラボラアンテナ
３  ベース板
３ａ，６ａ  軸受ユニット
４  回転ベース板
４ａ，７ａ  軸部材
５ａ，９ａ  ボルト
５ｂ，９ｂ  ナット
６  垂直支持板
６ｂ  挿通口
７  アンテナ支持板
８  アンテナ固定ユニット
８ａ  アンテナ取付部
１０  回転ベース板移動装置
１１，２１  回転シャフト
１２，２２  ハンドル
１３，２３  回転シャフト先端支持部材
１３ａ，２３ａ  カラー部
１３ｂ，１４ｂ，２３ｂ，２４ｂ  ブランケット部
１４，２４  回転シャフト移動支持部材
１４ａ，２４ａ  ナット部
２０  アンテナ支持板移動装置
【図１】
0003109916.tif 000003
【図２】
0003109916.tif 000004
【図３】
0003109916.tif 000005
【図４】
0003109916.tif 000006